(57)【特許請求の範囲】
【請求項１】
機器のシールドケース内の回路に外部ケーブルを接続するシールドコネクタであって、
前記シールドケースに固定される機器側コネクタと、前記外部ケーブルの端部に取り付けられて前記機器側コネクタに嵌合接続されるケーブル側コネクタとを備え、
前記機器側コネクタは、
一端が前記シールドケース内の回路に接続されると共に他端が前記ケーブル側コネクタ側の接続端子に嵌合接続される機器側接続端子と、
該機器側接続端子を収容保持すると共に前記ケーブル側コネクタを嵌合接続可能な機器側樹脂製ハウジングと、
前記機器側樹脂製ハウジングを保持すると共に、前記シールドケースの外面に面接触状態でねじ止めされるケース固定用フランジ部を有した機器側シールドシェルと、
前記ケース固定用フランジ部の前記シールドケースへのねじ止めにより前記シールドケースの外面に押圧されて前記機器側コネクタと前記シールドケースとの間を封止する第１のパッキンと、を備え、
前記機器側シールドシェルには、前記ケーブル側コネクタに装備されたケーブル側シールドシェルにおける筒状部の前端に鍔状に形成されたコネクタ結合用フランジ部をねじ締結することで、前記機器側シールドシェルと前記ケーブル側シールドシェルとを導通状態に結合する相手シェル固定用ねじ穴を備えたことを特徴とするシールドコネクタ。
【請求項２】
前記機器側シールドシェルには、前記ケース固定用フランジ部を前記シールドケースに締結するねじ部材の突出高さよりも前記シールドケースの外方側に突出する厚肉状に形成されると共に、前記ケーブル側コネクタの嵌合部を収容するフード部として機能する厚肉部が設けられ、
前記厚肉部に前記相手シェル固定用ねじ穴が装備されたことを特徴とする請求項１に記載のシールドコネクタ。
【発明の詳細な説明】
【技術分野】
【０００１】
本発明は、機器のシールドケース内の回路に外部ケーブルを接続するシールドコネクタに関する。
【背景技術】
【０００２】
図８は、シールドコネクタの従来例を示している。このシールドコネクタ１００は、下記特許文献１に開示されたものである。
【０００３】
このシールドコネクタ１００は、車両等に搭載される機器のシールドケース１０３内の回路に外部ケーブル１１０を接続するコネクタである。
【０００４】
このシールドコネクタ１００は、外部ケーブル１１０の先端に圧着接続されるケーブル側接続端子１２０と、このケーブル側接続端子１２０を収容保持する樹脂製ハウジング１３０と、樹脂製ハウジング１３０を保持してシールドケース１０３にねじ止めされるシールドシェル１４０と、当該シールドコネクタ１００とシールドケース１０３との間を封止するパッキン１５０とを備えている。
【０００５】
ケーブル側接続端子１２０は、図８に示すように、一端に舌状端子部１２１を備えると共に、他端に電線圧着部１２２を備えている。舌状端子部１２１は、図８に示すように、シールドケース１０３内の回路の舌状端子１０４にねじ部材１０５，１０６を介して接続される部位である。電線圧着部１２２は、外部ケーブル１１０の端部に圧着接続される部位である。
【０００６】
樹脂製ハウジング１３０は、モールド成形により、ケーブル側接続端子１２０を収容した形態に一体形成される。樹脂製ハウジング１３０の外形は、シールドケース１０３に貫通形成されたコネクタ挿通孔１０７に挿通可能な柱状である。そして、樹脂製ハウジング１３０の外周には、パッキン１５０を装着するパッキン装着溝１３１が、外周を一周する環状に形成されている。
【０００７】
シールドシェル１４０は、外部ケーブル１１０の端部を収容した樹脂製ハウジング１３０の基端部１３０ａを保持する筒状のシェル本体１４１と、シェル本体１４１のシールドケース１０３側の端部から鍔状に張り出して設けられたケース固定用フランジ部１４２とを備える。ケース固定用フランジ部１４２は、シールドケース１０３の外面に面接触状態に突き合され、ボルト１０８によりシールドケース１０３にねじ止めされる。ケース固定用フランジ部１４２をシールドケース１０３にねじ止めすることで、シールドコネクタ１００がシールドケース１０３に固定された状態になる。
【０００８】
パッキン１５０は、樹脂製ハウジング１３０のパッキン装着溝１３１に装着されるリング状のパッキンである。このパッキン１５０は、コネクタ挿通孔１０７の内周面と樹脂製ハウジング１３０の外周面との間の隙間を塞いで、シールドコネクタ１００とシールドケース１０３との間を封止する。
【先行技術文献】
【特許文献】
【０００９】
【特許文献１】特開２００２−３７３７３７号公報
【発明の概要】
【発明が解決しようとする課題】
【００１０】
ところが、特許文献１に開示のシールドコネクタ１００は、コネクタ挿通孔１０７を挿通する樹脂製ハウジング１３０の外周に装備したリング状のパッキン１５０を、コネクタ挿通孔１０７の内周面に密着させることで、シールドコネクタ１００とシールドケース１０３との間を封止する構成のため、シールドケース１０３に対して外部ケーブル１１０の着脱を繰り返すと、パッキン１５０がコネクタ挿通孔１０７との摺動で傷み易く、シールドケース１０３への取付け部におけるシール性能が低下するおそれがあった。
【００１１】
また、ボルト１０８を螺合させるシールドケース１０３上のねじ穴１０９の配置の変更、或いはコネクタ挿通孔１０７の形状や寸法の変更といったシールドケース１０３上の取付寸法が変更されると、その変更に対応するためには、シールドシェル１４０だけでなく、コネクタ挿通孔１０７に緊密嵌合させる樹脂製ハウジング１３０やパッキン１５０についても、設計変更が必要となる。即ち、シールドケース１０３上の取付寸法が変更されると、多数の構成部品に設計変更が必要となり、シールドケース上の取付寸法の変更に対応する製品開発に多大な労力が必要となるという問題もあった。
【００１２】
そこで、本発明の目的は、上記課題を解消することに係り、シールドケースに対して外部ケーブルの着脱を繰り返しても、シールドケースへの取付け部におけるシール性能が低下することがなく、しかも、シールドケース上の取付寸法の変更に対応する製品開発を容易にすることができるシールドコネクタを提供することにある。
【課題を解決するための手段】
【００１３】
本発明の前述した目的は、下記の構成により達成される。
（１）機器のシールドケース内の回路に外部ケーブルを接続するシールドコネクタであって、
前記シールドケースに固定される機器側コネクタと、前記外部ケーブルの端部に取り付けられて前記機器側コネクタに嵌合接続されるケーブル側コネクタとを備え、
前記機器側コネクタは、
一端が前記シールドケース内の回路に接続されると共に他端が前記ケーブル側コネクタ側の接続端子に嵌合接続される機器側接続端子と、
該機器側接続端子を収容保持すると共に前記ケーブル側コネクタを嵌合接続可能な機器側樹脂製ハウジングと、
前記機器側樹脂製ハウジングを保持すると共に、前記シールドケースの外面に面接触状態でねじ止めされるケース固定用フランジ部を有した機器側シールドシェルと、
前記ケース固定用フランジ部の前記シールドケースへのねじ止めにより前記シールドケースの外面に押圧されて前記機器側コネクタと前記シールドケースとの間を封止する第１のパッキンと、を備え、
前記機器側シールドシェルには、前記ケーブル側コネクタに装備されたケーブル側シールドシェルにおける筒状部の前端に鍔状に形成されたコネクタ結合用フランジ部をねじ締結することで、前記機器側シールドシェルと前記ケーブル側シールドシェルとを導通状態に結合する相手シェル固定用ねじ穴を備えたことを特徴とするシールドコネクタ。
【００１４】
（２）前記機器側シールドシェルには、前記ケース固定用フランジ部を前記シールドケースに締結するねじ部材の突出高さよりも前記シールドケースの外方側に突出する厚肉状に形成されると共に、前記ケーブル側コネクタの嵌合部を収容するフード部として機能する厚肉部が設けられ、
前記厚肉部に前記相手シェル固定用ねじ穴が装備されたことを特徴とする上記（１）に記載のシールドコネクタ。
【００１５】
上記（１）の構成によれば、シールドコネクタは、シールドケースに固定される機器側コネクタと、外部ケーブルの端部に取り付けられて機器側コネクタに嵌合接続されるケーブル側コネクタとから構成されている。そのため、シールドケースに対する外部ケーブルの着脱は、機器側コネクタに対してケーブル側コネクタを着脱することで実現する。
【００１６】
換言すると、シールドケースに対する外部ケーブルの着脱時に、機器側コネクタはシールドケースに固定した状態のままで良く、シールドケースに対して外部ケーブルの着脱を繰り返しても、機器側コネクタとシールドケースとの間を封止している第１のパッキンには、全く影響が及ばない。
【００１７】
従って、シールドケースに対して外部ケーブルの着脱を繰り返しても、シールドケースへの取付け部におけるシール性能が低下することがない。
【００１８】
しかも、シールドケースと機器側コネクタとの間の封止は、シールドシェルのケース固定用フランジ部とシールドケースの外面との間に挟持される第１のパッキンにより行っており、機器側樹脂製ハウジングはシールドケース上のコネクタ挿通孔に遊嵌させるだけでよく、機器側樹脂製ハウジングの外形の寸法精度はシールドケースへの取付け部におけるシール性能に影響しない。
【００１９】
そのため、シールドケース上の取付寸法が変更される場合に、その変更への対応は、シールドケースへの取り付けを果たすシールドシェルだけの設計変更で済ませることができ、機器側樹脂製ハウジングとシールドシェルとの取り合い寸法は従来のままに留めることができる。
【００２０】
従って、シールドケース上の取付寸法の変更に際して、その変更に対応するための構成部品の設計変更が少なくて済み、シールドケース上の取付寸法の変更に対応する製品開発を容易にすることもできる。
【００２１】
上記（２）の構成によれば、シールドシェルに装備した厚肉部が、ケーブル側コネクタの先端部を収容するフード部を兼ねるため、機器側樹脂製ハウジングには、ケーブル側コネクタの先端部を収容するフード部の形成が不要になり、機器側樹脂製ハウジングの構造を単純化することができる。
【００２２】
更に、厚肉部に相手シェル固定部が装備されるため、相手シェル固定部としてのねじ穴に十分な長さを確保して、螺合による結合強度を向上させることができる。
【発明の効果】
【００２３】
本発明によるシールドコネクタによれば、シールドケースに対する外部ケーブルの着脱時に、機器側コネクタはシールドケースに固定した状態のままで良く、シールドケースに対して外部ケーブルの着脱を繰り返しても、機器側コネクタとシールドケースとの間を封止している第１のパッキンには、全く影響が及ばない。
【００２４】
従って、シールドケースに対して外部ケーブルの着脱を繰り返しても、シールドケースへの取付け部におけるシール性能が低下することがない。
【００２５】
しかも、シールドケース上の取付寸法が変更される場合に、その変更への対応は、シールドケースへの取り付けを果たすシールドシェルだけの設計変更で済ませることができ、機器側樹脂製ハウジングとシールドシェルとの取り合い寸法は従来のままに留めることができる。
【００２６】
従って、シールドケース上の取付寸法の変更に際して、その変更に対応するための構成部品の設計変更が少なくて済み、シールドケース上の取付寸法の変更に対応する製品開発を容易にすることもできる。
【図面の簡単な説明】
【００２７】
【図１】本発明に係るシールドコネクタの一実施形態の分解斜視図である。
【図２】図１に示した機器側コネクタの分解斜視図である。
【図３】図１に示したケーブル側コネクタの分解斜視図である。
【図４】本発明に係る機器側コネクタの他の実施形態の斜視図である。
【図５】図４に示した機器側コネクタをシールドケースに固定した状態の斜視図である。
【図６】図５に示した機器側コネクタとシールドケースを一部断面にした斜視図である。
【図７】図５に示した機器側コネクタとシールドケースの縦断面図である。
【図８】従来のシールドコネクタの縦断面図である。
【発明を実施するための形態】
【００２８】
以下、本発明に係るシールドコネクタの好適な実施形態について、図面を参照して詳細に説明する。
【００２９】
図１〜図３は本発明に係るシールドコネクタの一実施形態を示したもので、図１は本発明に係るシールドコネクタの一実施形態の分解斜視図、図２は図１に示した機器側コネクタの分解斜視図、図３は図１に示したケーブル側コネクタの分解斜視図である。
【００３０】
この一実施形態のシールドコネクタ１は、車両等に搭載される機器のシールドケース１０内の回路に外部ケーブル２０を接続するコネクタである。
【００３１】
本実施形態のシールドコネクタ１は、シールドケース１０に固定される機器側コネクタ３０と、外部ケーブル２０の端部に取り付けられて機器側コネクタ３０に嵌合接続されるケーブル側コネクタ４０とを備えている。
【００３２】
シールドケース１０は、機器側コネクタ３０を取り付けるために、コネクタ挿通孔１１と、コネクタ固定用のねじ穴１２とが形成されている。コネクタ挿通孔１１は、後述の機器側コネクタ３０の機器側樹脂製ハウジング３２を挿通させるための開口である。また、ねじ穴１２は、後述する機器側コネクタ３０の機器側シールドシェル３３を締結するねじ穴である。ねじ穴１２は、コネクタ挿通孔１１の外周の対角に位置する２箇所に装備されている。
【００３３】
外部ケーブル２０は、車両等に搭載される不図示の機器への給電や、信号の送受を行う電線である。ケーブル側コネクタ４０に接続される外部ケーブル２０には、外部ケーブル２０の周囲を電磁遮蔽するチューブ状の編組４５が被せられる。
【００３４】
機器側コネクタ３０は、図２に示すように、機器側接続端子３１と、機器側樹脂製ハウジング３２と、機器側シールドシェル３３と、第１のパッキン３４と、第２のパッキン３５と、端子用シールリング３６と、を備える。
【００３５】
機器側接続端子３１は、金属板製で、一端に回路接続部３１１を備えると共に、他端に舌状端子部３１２を備えている。回路接続部３１１は、機器内の回路の不図示の端子にねじ止めにより導通接続される。舌状端子部３１２は、ケーブル側コネクタ４０側の接続端子に嵌合接続される部位である。
【００３６】
機器側樹脂製ハウジング３２は、機器側接続端子３１を収容保持する端子収容筒部３２１と、端子収容筒部３２１の外周に鍔状に形成されたハウジング鍔部３２２とを備えている。端子収容筒部３２１は、コネクタ挿通孔１１に遊嵌するように、外形がコネクタ挿通孔１１よりも小さく設定されている。また、ハウジング鍔部３２２は、コネクタ挿通孔１１を挿通しないように、外形がコネクタ挿通孔１１よりも大きく設定されている。
【００３７】
また、機器側樹脂製ハウジング３２は、後述の機器側シールドシェル３３と結合するための係止片３２３を有している。機器側樹脂製ハウジング３２は、機器側シールドシェル３３に結合した状態では、後述のケーブル側コネクタ４０を嵌合接続可能である。
【００３８】
機器側シールドシェル３３は、導電材料製で、機器側樹脂製ハウジング３２の係止片３２３を係止する係止部３３１を有している。機器側シールドシェル３３は、係止片３２３を係止部３３１で係止することにより、機器側樹脂製ハウジング３２を保持し、機器側樹脂製ハウジング３２の周囲を電磁遮蔽する。
【００３９】
更に、機器側シールドシェル３３は、シールドケース１０の外面に面接触状態でねじ止めされるケース固定用フランジ部３３３と、相手シェル固定部３３４と、を備える。
ケース固定用フランジ部３３３は、図１に示すように、ねじ穴１２に螺合するねじ部材であるボルト３６１により、シールドケース１０にねじ止めされる。
【００４０】
相手シェル固定部３３４は、ケーブル側コネクタ４０をねじ止めするねじ穴である。この相手シェル固定部３３４は、機器側コネクタ３０とケーブル側コネクタ４０との嵌合接続状態において、ケーブル側コネクタ４０に装備された後述のケーブル側シールドシェル４３（図３参照）を締結することで、機器側シールドシェル３３とケーブル側シールドシェル４３とを導通状態に結合する。
【００４１】
本実施形態の場合、相手シェル固定部３３４は、ケース固定用フランジ部３３３の内側に位置する厚肉部３３６に装備されている。
【００４２】
この厚肉部３３６は、ケース固定用フランジ部３３３をシールドケース１０に締結するねじ部材であるボルト３６１の突出高さよりもシールドケース１０の外方側に突出する厚肉状に形成されている。
【００４３】
更に、この厚肉部３３６は、中央部に、嵌合部収容孔３３７が貫通形成されている。この嵌合部収容孔３３７は、ケーブル側コネクタ４０の後述するケーブル側樹脂製ハウジング４２の端子収容筒部４２１を収容する孔である。嵌合部収容孔３３７を装備したことで、厚肉部３３６は、ケーブル側コネクタ４０の嵌合部を収容するフード部として機能する。
【００４４】
本実施形態の場合、相手シェル固定部３３４は、厚肉部３３６に装備されている。相手シェル固定部３３４としてのねじ穴は、厚肉部３３６を貫通しないように、深さが設定されている。
【００４５】
第１のパッキン３４は、シールドケース１０の外面と対向するように、機器側樹脂製ハウジング３２のハウジング鍔部３２２の外周縁の後面に、取り付けられる。
【００４６】
この第１のパッキン３４は、機器側シールドシェル３３におけるケース固定用フランジ部３３３のシールドケース１０へのねじ止めにより、シールドケース１０の外面（コネクタ挿通孔１１の周縁部）に押圧されて、機器側コネクタ３０とシールドケース１０との間を封止する。
【００４７】
第２のパッキン３５は、機器側シールドシェル３３と対向するように、機器側樹脂製ハウジング３２のハウジング鍔部３２２の外周縁の前面側に、端子収容筒部３２１の外周に嵌合して取り付けられる。
【００４８】
この第２のパッキン３５は、機器側樹脂製ハウジング３２のハウジング鍔部３２２と機器側シールドシェル３３とに挟持されて、機器側樹脂製ハウジング３２と機器側シールドシェル３３との間を封止する。
【００４９】
端子用シールリング３６は、端子収容筒部３２１に保持されている機器側接続端子３１の舌状端子部３１２に嵌合して、舌状端子部３１２を伝って水分がシールドケース１０内に浸入することを防止する。
【００５０】
次に、機器側コネクタ３０に嵌合接続されるケーブル側コネクタ４０の構成を図３に基づいて説明する。
【００５１】
ケーブル側コネクタ４０は、図３に示すように、ケーブル側接続端子４１と、該ケーブル側接続端子４１を収容保持するケーブル側樹脂製ハウジング４２と、該ケーブル側樹脂製ハウジング４２を収容保持して機器側コネクタ３０の機器側シールドシェル３３にねじ止め可能なケーブル側シールドシェル４３と、ケーブル側接続端子４１に接続される外部ケーブル２０に被せられるチューブ状の編組４５と、チューブ状の編組４５をケーブル側シールドシェル４３に固定するための編組固定リング４６と、ケーブル側接続端子４１に接続された外部ケーブル２０に装着されるゴム栓４７と、ゴム栓４７の後段で外部ケーブル２０に装着される電線ホルダ４８と、第３のパッキン４９とを備えている。
【００５２】
ケーブル側接続端子４１は、一端に機器側接続端子３１の舌状端子部３１２に嵌合する端子嵌合部４１１が備えられ、他端に外部ケーブル２０が圧着接続される電線圧着部４１２が備えられている。
【００５３】
ケーブル側樹脂製ハウジング４２は、ケーブル側接続端子４１を収容する端子収容筒部４２１と、端子収容筒部４２１の外周に鍔状に形成されたハウジング鍔部４２２とを備えている。
【００５４】
ケーブル側シールドシェル４３は、端子収容筒部４２１の後端部を収容する筒状部４３１と、筒状部４３１の前端に鍔状に形成されたコネクタ結合用フランジ部４３２とを備える。コネクタ結合用フランジ部４３２は、機器側シールドシェル３３の厚肉部３３６に突き当てられ、相手シェル固定部３３４にねじ止めされる。コネクタ結合用フランジ部４３２を相手シェル固定部３３４にねじ止めすることにより、ケーブル側コネクタ４０が機器側コネクタ３０に結合される。
【００５５】
チューブ状の編組４５は、ケーブル側シールドシェル４３の後方に延出する外部ケーブル２０の外周を覆って、外部ケーブル２０の周囲を電磁遮蔽する。編組４５の先端４５ａは、ケーブル側シールドシェル４３の筒状部４３１に外嵌する筒状になっている。
【００５６】
編組固定リング４６は、ケーブル側シールドシェル４３の筒状部４３１に外嵌したチューブ状の編組４５を筒状部４３１に締め付けて、チューブ状の編組４５をケーブル側シールドシェル４３に連結する。
【００５７】
ゴム栓４７は、ケーブル側接続端子４１を端子収容筒部４２１に形成された端子収容孔に挿入したときに、端子収容孔に緊密嵌合して、外部ケーブル２０を伝って端子収容孔側に水が浸入することを防止する。
【００５８】
電線ホルダ４８は、外部ケーブル２０に嵌合装着された状態で筒状部４３１内に保持され、筒状部４３１内での外部ケーブル２０の変位を規制する。
【００５９】
第３のパッキン４９は、ケーブル側樹脂製ハウジング４２のハウジング鍔部４２２とケーブル側シールドシェル４３のコネクタ結合用フランジ部４３２との間に挟持されて、ケーブル側樹脂製ハウジング４２とケーブル側シールドシェル４３との間を封止する。
【００６０】
以上に説明した一実施形態のシールドコネクタ１では、シールドコネクタ１は、シールドケース１０に固定される機器側コネクタ３０と、外部ケーブル２０の端部に取り付けられて機器側コネクタ３０に嵌合接続されるケーブル側コネクタ４０とから構成されている。そのため、シールドケース１０に対する外部ケーブル２０の着脱は、機器側コネクタ３０に対してケーブル側コネクタ４０を着脱することで実現する。
【００６１】
換言すると、シールドケース１０に対する外部ケーブル２０の着脱時に、機器側コネクタ３０はシールドケース１０に固定した状態のままで良く、シールドケース１０に対して外部ケーブル２０の着脱を繰り返しても、機器側コネクタ３０とシールドケース１０との間を封止している第１のパッキン３４には、全く影響が及ばない。
【００６２】
従って、シールドケース１０に対して外部ケーブル２０の着脱を繰り返しても、シールドケース１０への取付け部におけるシール性能が低下することがない。
【００６３】
しかも、以上に説明した一実施形態のシールドコネクタ１では、シールドケース１０と機器側コネクタ３０との間の封止は、機器側シールドシェル３３のケース固定用フランジ部３３３とシールドケース１０の外面との間に挟持される第１のパッキン３４により行っており、機器側樹脂製ハウジング３２はシールドケース１０上のコネクタ挿通孔１１に遊嵌させるだけでよく、機器側樹脂製ハウジング３２の外形の寸法精度はシールドケース１０への取付け部におけるシール性能に影響しない。
【００６４】
そのため、シールドケース１０上の取付寸法が変更される場合に、その変更への対応は、シールドケース１０への取り付けを果たす機器側シールドシェル３３だけの設計変更で済ませることができ、機器側樹脂製ハウジング３２とシールドシェルとの取り合い寸法は従来のままに留めることができる。
【００６５】
従って、シールドケース１０上の取付寸法の変更に際して、その変更に対応するための構成部品の設計変更が少なくて済み、シールドケース１０上の取付寸法の変更に対応する製品開発を容易にすることもできる。
【００６６】
更に、以上に説明した一実施形態のシールドコネクタ１では、機器側シールドシェル３３に装備した厚肉部３３６が、ケーブル側コネクタ４０の先端部を収容するフード部を兼ねるため、機器側樹脂製ハウジング３２には、ケーブル側コネクタ４０の先端部を収容するフード部の形成が不要になり、機器側樹脂製ハウジング３２の構造を単純化することができる。
【００６７】
更に、厚肉部３３６に相手シェル固定部３３４が装備されるため、相手シェル固定部３３４としてのねじ穴に十分な長さ（深さ）を確保して、螺合による機器側コネクタ３０とケーブル側コネクタ４０との間の結合強度を向上させることができる。
【００６８】
図４〜図７は、本発明に係るシールドコネクタにおける機器側コネクタの他の実施形態を示している。
【００６９】
図４は本発明に係る機器側コネクタの他の実施形態の斜視図、図５は図４に示した機器側コネクタをシールドケースに固定した状態の斜視図、図６は図５に示した機器側コネクタとシールドケースを一部断面にした斜視図、図７は図５に示した機器側コネクタとシールドケースの縦断面図である。
【００７０】
この他の実施形態の機器側コネクタ３０Ａが一実施形態の機器側コネクタ３０と相異する点は、一実施形態の機器側シールドシェル３３の代わりに、機器側シールドシェル３３の一部を設計変更した機器側シールドシェル３３Ａを採用した点である。
【００７１】
機器側シールドシェル３３Ａは、シールドケース１０におけるねじ穴１２の配置変更に対応して、ケース固定用フランジ部３３３の形状を設計変更したものである。
【００７２】
機器側コネクタ３０Ａを構成する構成部品の内、機器側シールドシェル３３Ａ以外の構成部品は、一実施形態のものと共通でよい。
【００７３】
この他の実施形態でも明らかなように、本発明のシールドコネクタでは、シールドケース１０上の取付寸法の変更に際して、その変更に対応するための構成部品の設計変更が少なくて済み、シールドケース１０上の取付寸法の変更に対応する製品開発を容易にすることができる。
【００７４】
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【符号の説明】
【００７５】
１  シールドコネクタ
１０  シールドケース
２０  外部ケーブル
３０  機器側コネクタ
３１  機器側接続端子
３２  機器側樹脂製ハウジング
３３  機器側シールドシェル
３３４  相手シェル固定部
３４  第１のパッキン
４０  ケーブル側コネクタ
４３  ケーブル側シールドシェル
４５  編組
【図１】
0005727839.tif 000002
【図２】
0005727839.tif 000003
【図３】
0005727839.tif 000004
【図４】
0005727839.tif 000005
【図５】
0005727839.tif 000006
【図６】
0005727839.tif 000007
【図７】
0005727839.tif 000008
【図８】
0005727839.tif 000009